Podtech/llm-jp-corpus-v4-ja_patent huggingface dataset:
(57)【特許請求の範囲】
【請求項１】
静脈ホルダーであって、
天部表面、底部表面、第１の端部および第２の端部を備え、該底部表面に対して実質的に垂直に上方に延在した壁であって、平面視Ｃ字型で中央の開口を形成するとともに前記第１の端部と前記第２の端部が外方に湾曲した、前記上方に延在した壁と、
前記中央の開口へのアクセスを可能にする前記第１の端部と前記第２の端部との間に位置する空間と、
を有し、
前記上方に延在した壁の前記底部表面は外側に広がったフランジによって形成されており、さらに前記フランジの底部表面は、前記中央の開口の周囲で肌にきつく接触するとともに、前記静脈に簡単に到達できるようにするために前記静脈を閉塞するように圧力を印加することを特徴とする静脈ホルダー。
【請求項２】
前記上方に延在した壁の縁部は高さが徐々に減少していることを特徴とする請求項１記載の静脈ホルダー。
【発明の詳細な説明】
【技術分野】
【０００１】
本発明は、静脈ホルダーに関する。
【背景技術】
【０００２】
医療行為は、患者への薬の投与または血液サンプルの採集のために、針と注射器の利用をしばし必要とする。しばしば、これらの医療行為は、静脈または動脈へ直接に到達する針を必要とする。その医療行為の容易さは医療従事者の技能と経験、患者の静脈への到達のしやすさ、患者が医療行為の間に動く傾向があるかどうかに依存する。
【０００３】
針や注射器を正確に位置決めするためのさまざまな器具が医療従事者を支援するために開発されてきた。そのような器具の１つは米国特許出願公開第５，９１１，７０７号明細書（Ｗｏｌｖｅｋ氏他）において開示されている。具体的には、両端に開口を作るために伸びる指状のものを備えた胴体の針ガイドが開示されている。支持部３０、３２によって針の挿入が容易になる。さらに米国特許出願公開第４，３１４，５６８号明細書（Ｌｏｖｉｎｇ氏）は中央の穴１８を伴う平面の胴体を備えた血管安定器を開示している。
【先行技術文献】
【特許文献】
【０００４】
【特許文献１】米国特許出願公開第５，９１１，７０７号明細書
【特許文献２】米国特許出願公開第４，３１４，５６８号明細書
【発明の概要】
【発明が解決しようとする課題】
【０００５】
静脈への針の到達が難しい患者について、医療従事者は、静脈をより目立たせることで針の到達を容易にするために、止血帯の利用にしばし頼る。高齢の患者においては、止血帯によって引き起こされる高い背圧のために、静脈に破裂を引き起こす可能性がある。高齢患者についての他の問題は、静脈が動いてしまう傾向にあることであり、これは針の正確な位置決めをより難しくしている。
【０００６】
本発明の目的は、針による静脈への簡単な到達を可能にする静脈ホルダーを提供することである。
【０００７】
本発明のもう１つの目的は、肌に対する静脈の位置を安定に維持するために肌を伸ばす静脈ホルダーを提供することである。
【０００８】
本発明のもう１つの目的は、止血帯を利用しない静脈ホルダーを提供することである。本発明のさらにもう１つの目的は、片手によって適切に保持されることを可能にする静脈ホルダーを提供することである。
【０００９】
本発明の他の目的は、本発明の開示の全体を読むことで、当業者に明らかになるであろう。
【課題を解決するための手段】
【００１０】
静脈ホルダーは中央の開口を形成する直立した壁を備えている。中央の開口は針による簡単な到達を可能にするのに十分な大きさを有している。底部のつば部は壁から外側に向かって広がっており、患者の肌に寄りかかるようにして支えられる。対する静脈の相対的な動きを抑制するために、つば部１４の底部表面によって肌をきつく保持する。さらに、静脈ホルダーによって印加される圧力は、注射器のための開口から離れた端で、静脈を閉塞する。
【図面の簡単な説明】
【００１１】
【図１】静脈ホルダーの遠近法的外観である。
【図２】静脈ホルダーの平面図である。
【図３】図２の３−３に沿った断面図である。
【発明を実施するための形態】
【００１２】
図１は中央の開口を形成する直立したウォール（壁）１２を備えた静脈ホルダー１０を示している。垂直に直立した壁は中央の開口が形成される限りはどんな形状であってもよい。図１において、直立した壁は医療従事者に片手でのより快適な握りを可能にする弓状の形をしている。
【００１３】
ボトムフランジ（底部のつば部）１４は壁１２から外側に向かって広がっている。底部のつば部については以下でさらに詳細にわたって説明する。直立した壁のエンド（端）１６は高さが徐々に減少するように構成されている。これによって、壁１２のトップエンド（天部の端）は底部のつば部１４のサイドエッジ（側部の縁部）へと遷移するようになっている。
【００１４】
図２は静脈ホルダーの平面図である。この図では、静脈ホルダーのＣ字型の形がはっきりと描かれている。壁１２によって形成された中央の開口と端１６との間にある空間は医療従事者に静脈を探すための、そして、針と注射器とともに静脈にアクセス（到達）するための両方に十分な空間を提供する。
【００１５】
図３は図２の３−３の沿った部分の断面図である。この図では、つば部１４の底部表面が示されている。つば部の底部表面は、肌に接触し、中央の開口内に肌をきつく保持するとともに、血管を閉塞するためにアクセス部に圧力を印加するようになっている。理論的には、静脈は底部のつば部の一部によって閉塞され、このつば部の一部は、静脈にアクセスするための最適な視野と空間を医療従事者に与えることになる２つの端１６間にある空間の対向側に位置している。
【００１６】
静脈ホルダーは片手で保持可能であり、針や注射器を扱う医療従事者のもう一方の手を自由にする。静脈ホルダーは、肌に対する静脈の相対的な動きを抑制するために肌をきつくし維持するとともに、静脈に簡単に到達できるようにするために静脈を閉塞するよう圧力を印加する。
【００１７】
本発明について好ましい実施形態を参照しつつ説明してきたが、さまざまな修正による変形も当業者には明らかであるだろう。本発明はそのような変形や修正も包含することを意図されている。
【図１】
0005566694.tif 000002
【図２】
0005566694.tif 000003
【図３】
0005566694.tif 000004
(57)【特許請求の範囲】
【請求項１】
本体部と、回転軸によって前記本体部に回動可能に接続される表示装置と、を備える電子装置であって、
前記本体部は、上から下に向かってトップカバー、ＰＣＢ回路基板、静電気防止金属カウンターバランス及び下部ケースを備え、
前記静電気防止金属カウンターバランスは、前記ＰＣＢ回路基板に相当する寸法及び形状を有する薄いシート状に設計され、且つその上方に位置する前記ＰＣＢ回路基板及びその下方に位置する前記下部ケースにそれぞれ面接触していることを特徴とする電子装置。
【請求項２】
前記静電気防止金属カウンターバランスは、重力分布が均一である金属シートであることを特徴とする請求項１に記載の電子装置。
【発明の詳細な説明】
【技術分野】
【０００１】
本発明は、電子装置に関するものであり、特に携帯式電子装置に関するものである。
【背景技術】
【０００２】
携帯式電子製品は、小型、軽量、薄型に発展している。ノートパソコン、ＤＶＤなどの携帯式電子装置は、本体部及び本体部に回動可能に装着されるＬＣＤ表示装置を備える。携帯式電子装置を机に水平に設置してから、ＬＣＤ表示装置を本体部に対して１３５度以上に開ける場合、ＬＣＤ表示装置の重力作用によって、携帯式電子装置全体がＬＣＤ表示装置側に倒れ、観覧に影響する。又、携帯式電子装置の電気回路基板上の電子素子は、静電気によって損傷される可能性がある。
【発明の概要】
【発明が解決しようとする課題】
【０００３】
本発明の目的は、前記課題を解決し、静電気による電子素子の損傷を免れるとともに、表示装置と本体部との間の角度が大き過ぎても電子装置全体が傾斜しない電子装置を提供することである。
【課題を解決するための手段】
【０００４】
本発明に係る電子装置は、本体部と、回転軸によって前記本体部に回動可能に接続される表示装置と、を備え、前記本体部は、上から下に向かってトップカバー、ＰＣＢ回路基板、静電気防止金属カウンターバランス及び下部ケースを備える。
【発明の効果】
【０００５】
本発明の電子装置の本体部は静電気防止金属カウンターバランスを備えるため、前記電子装置のＰＣＢ回路基板に装着された電子素子が静電気によって損傷されることを免れることができ、前記電子装置の表示装置と本体部との間の角度が大き過ぎても、前記電子装置全体が傾斜しない。
【図面の簡単な説明】
【０００６】
【図１】本発明の実施形態に係る電子装置の構造を示す図である。
【図２】図１に示す電子装置の本体部の構造を示す図である。
【発明を実施するための形態】
【０００７】
図１は、本発明の実施形態に係る電子装置１の構造を示す図である。前記電子装置１は、本体部１０と、回転軸３０によって前記本体部１０に回動可能に接続される表示装置２０と、を備える。前記電子装置１を机に水平に設置してから前記表示装置２０を開けると、前記本体部１０は机の支持面に接触し、前記表示装置２０と前記本体部１０との間は角度４０をなす。本実施形態において、前記電子装置１は、ＤＶＤプレーヤー、ノートパソコン、電子書籍などである。
【０００８】
図２に示したように、前記本体部１０は、上から下に向かってトップカバー１０１、ＰＣＢ回路基板１０２、静電気防止金属カウンターバランス１０３及び下部ケース１０４を備える。前記下部ケース１０４は、前記電子装置１を設置する支持面に直接に接触する。前記ＰＣＢ回路基板１０２には、前記電子装置１が正常に作動するために必要とされる電子素子（図示せず）が装着される。
【０００９】
前記静電気防止金属カウンターバランス１０３の静電気防止効果を増大するとともに、前記電子装置１を穏やかに設置するために、前記静電気防止金属カウンターバランス１０３は、優れた導電性能を有する鉄、銅などの材料からなり、且つ前記ＰＣＢ回路基板１０２に相当する寸法を有する薄いシート状に設計され、前記ＰＣＢ回路基板１０２と前記下部ケース１０４との間に設置されて両者に接触する。前記静電気防止金属カウンターバランス１０３の形状は、前記ＰＣＢ回路基板１０２の形状と完全に同じであるか又は近似する。摩擦などの各種の原因によって、前記ＰＣＢ回路基板１０２に静電気が生じる際、前記ＰＣＢ回路基板１０２は前記静電気防止金属カウンターバランス１０３と大面積において接触しているため、前記静電気は、前記静電気防止金属カウンターバランス１０３を介して前記下部ケース１０４に伝導し、さらに前記下部ケース１０４に接触する支持面を介して地面に伝導して放電され、従って前記ＰＣＢ回路基板１０２に装着された電子素子が静電気の影響を受けないように保護される。
【００１０】
前記電子装置１が特殊な設置状態になる場合、即ち前記表示装置２０と前記本体部１０との間の角度４０が大き過ぎる（１４５度より大きい）場合、前記静電気防止金属カウンターバランス１０３が存在するため、前記本体部１０の重量が増加して、前記電子装置１全体が前記表示装置２０側に傾斜することを免れる。本実施形態において、前記静電気防止金属カウンターバランス１０３は、重力分布が均一であり、密度が大きく且つ優れる導電性能を有する金属シートであり、例えば、鉄、銅などの金属シートである。
【００１１】
本発明の電子装置１において、前記静電気防止金属カウンターバランス１０３が存在するため、前記ＰＣＢ回路基板１０２に装着された電子素子が静電気によって損傷されることを免れることができ、前記表示装置２０と前記本体部１０との間の角度が大き過ぎても前記電子装置１全体が傾斜しない。
【００１２】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は以下の特許請求の範囲から決まる。
【符号の説明】
【００１３】
１  電子装置
１０  本体部
２０  表示装置
３０  回転軸
１０１  トップカバー
１０２  ＰＣＢ回路基板
１０３  静電気防止金属カウンターバランス
１０４  下部ケース
【図１】
0005566959.tif 000002
【図２】
0005566959.tif 000003
(57)【特許請求の範囲】
【請求項１】
本体上部に下向きに円弧状の形状をした鍔および鍔と一体となった支柱下部に鉢土に容易に刺さる形状の先端部、かつ、本体が鉢土から容易に抜けないような突起構造を有することを特徴とするシクラメン用開花促進具。
【請求項２】
請求項１の下向きに円弧状の形状をした鍔および鍔と一体となった支柱の上部とが鉢の上部に連続して鉢と一体に設けられたことを特徴とするシクラメン用専用鉢。
【発明の詳細な説明】
【技術分野】
【０００１】
シクラメンの観賞を長期間楽しむためには根元から次々に出てくる蕾や株の根元を日光に効果的に当てる必要があるが、本発明はシクラメンの蕾や株の根元を覆い日光を遮る葉を簡単に蕾や株の根元から遠ざけ日光が当たることを可能にする。
【背景技術】
【０００２】
従来は生産者が生産過程に使用する器具が使用されているが、一般家庭向けには専用の器具または鉢などは存在しない。そのため、蕾や株の根元に効果的に日光を当てるため指で葉の茎をひねりながら下の葉や大きな葉にからめ蕾や株の根元を日光から遮蔽している葉を避ける作業を行っていたが、葉の茎の弾力性で元に戻る時間が早く、効果的に長時間日光を蕾や株の根元に当てることが難しい作業であった。
【０００３】
葉の茎を蕾や株の根元から遠ざけるためには葉の茎を蕾から遠ざけることを可能にする構造を有した鉢または同様の構造を有する着脱可能な構造体があれば問題は解決する。
【先行技術文献】
【特許文献】
【０００４】
【特許文献１】実用新案公開平６−１９４２９
【特許文献２】実用新案公開平６−５０４３３
【発明の概要】
【発明が解決しようとする課題】
【０００５】
先行技術文献はいずれも生産者が花芽を促進させるための生産工数を生産過程で削減させることを目的として開発された器具であり、観賞を目的とした一般家庭における使用は難しい。また、先行技術文献はいずれも本発明とは全く異なる方法で葉の茎を花芽から遠ざける手段を採用している。
【０００６】
本発明の目的は、シクラメンの蕾や株の根元に効果的に日光を当てるため日光を遮る葉を蕾や株の根元から遠ざけシクラメンの開花を促進する簡易な方法を提供することにある。
【課題を解決するための手段】
【０００７】
本発明は、シクラメンの蕾や株の根元を覆う葉の茎を指で簡単に掛けることができる下向きに円弧状の形状をした鍔と一体となった支柱を鉢土に刺し、鍔の下に蕾や株の根元を遮蔽している葉の茎を掛けながら葉を蕾や株の根元から遠ざけることでシクラメンの蕾や株の根元に効果的に日光を当てシクラメンの開花を促進することを可能にすることを特徴とする。
【発明の効果】
【０００８】
本発明により、シクラメンの蕾や株の根元に効果的に日光が当たることでシクラメンの観賞期間を従来以上に長くすることを可能にする。
【図面の簡単な説明】
【０００９】
【図１】本発明の本体の実施例の一つを示す平面図である。
【図２】図１の本発明の実施例を示す斜視図である。
【発明を実施するための形態】
【００１０】
本発明に係る本体の上部に下向きに設けられた円弧状の鍔の下に蕾や株の根元を遮蔽している葉の茎を掛けながら日光を遮っている葉を蕾や株の根元から簡単に遠ざけることを実現した。
【実施例】
【００１１】
請求項１の実施例は、本体１の上部に下向きに設けられた円弧状の鍔２と鉢土に本体を刺すための支柱３、本体が容易に鉢土から抜けないための突起構造４、かつ、鉢土に本体１を刺すことを容易にする尖った先端部５を有し、本体１を鉢土の任意の個所に刺し蕾６や株の根元を日光から遮っている葉の茎７を下向きに設けられた円弧状の鍔２で抑えることで葉を蕾６や株の根元から遠ざけシクラメンの開花を促進することを可能にする。
【００１２】
請求項２の実施例は、請求項１の本体１上部に下向きに設けられた円弧状の鍔２の部分を支柱３の一部とともに連続して鉢の上部に設けることを可能にする材料で作られたシクラメン専用鉢により、本発明の効果を得ることを可能にする。
【産業上の利用可能性】
【００１３】
本発明に係るシクラメン用開花促進具を利用することで、シクラメンの蕾が次から次へと成長し、長期間シクラメンの観賞を可能とするので、一般家庭での使用が期待される。
【符号の説明】
【００１４】
１  本体
２  円弧状の鍔
３  支柱
４  先端突起部
５  先端部
６  蕾
７  葉茎
【図１】
0005453662.tif 000002
【図２】
0005453662.tif 000003
(57)【特許請求の範囲】
【請求項１】
パジャマの上衣前後身頃部（１）、（２）は、右左脇（５）を開き、前後左右脇に持出し部（６）を取り付け、持出し部（６）の上に面ファスナー（７）を縫い付け、面ファスナー（７）を取り付けることにより左右脇の開閉が着脱自在になり、肩山（３）を上衣前後身頃（１）、（２）で縫い合わせ、上衣前身頃（１）、（２）の中央に見返し（８）を設け、面ファスナー（７）またはボタン、スナップを設けることも可能で、上衣前後身頃部（１）、（２）の袖付（４）側に持出し部（６）を設け、面ファスナー（７）を設け、袖（９）は袖下（１１）を縫い、袖山側（１０）に持出し部（６）を設け、面ファスナー（７）を設け、上衣前後身頃部（１）、（２）の袖付（４）側に取り付けた面ファスナー（７）と袖山（１０）に取り付けた面ファスナー（７）で合わせ、袖（９）は取り外しができる、着脱自在に形成、構成したことを特徴とする介護用パジャマ。
【請求項２】
さらにズボンを備え、ズボンは前後身頃部（１３）、（１４）の股上部（１５）中央に持出し部（６）を設け、面ファスナー（７）を取り付けて合わせて股上（１５）を分離させることができ、前後身頃部（１３）、（１４）内側の股下部（１６）に持出し部（６）を設け、面ファスナー（７）を取り付けて自在に開閉できるように構成した請求項１に記載の介護用パジャマ。
【発明の詳細な説明】
【技術分野】
【０００１】本発明は、着脱を容易にし着用感に優れた介護用パジャマである。
【背景技術】
【０００２】一般にパジャマは、健常者用の物が多く、介護をする者にとって体の大きい方、手足が麻痺している方、おむつを必要としている方の着替えをさせるのは大変労力を要するものである。
介護用パジャマの中には、上着、ズボンの身頃の一部分のみ開けられるものが多く、全体を分解できるようなデザインのものがないのが現状である。
【発明の開示】
【発明が解決しようとする課題】
【０００３】以上の点を解決するために発明されたものである。
現状では、介護用パジャマの製品が少ないため、介護をする人にとって着替えをさせることは大変重労働となっている。
そこで、上着を前後身頃部、袖部、ズボンを前後身頃部を股上、股下部を全開して、着脱を容易にしたものが、当パジャマである。
介護をする上で、体の不自由な方、寝たきりの方、体の大きな方の着替えは大変労力を要するが、
介護する者の負担を軽減し、着ている人にも着心地がよい、という利点がある発明である。
【課題を解決するための手段】
【０００４】本発明は基盤となるパジャマ上衣前身頃（１）と後身頃部（２）と左右の袖部（９）で形成されている介護用パジャマ。上衣前後身頃部（１）（２）の左右脇部（５）を開き、持出部（６）を設け、面ファスナを設ける。上衣前後身頃部（１）（２）肩山（３）を縫い合わせる。上衣前後身頃部（１）（２）の袖付け部（４）側に持出部（６）を設け、面ファスナーを設ける。上衣前身頃部（１）中央に見返し（８）を設け、面ファスナー（７）又はボタン、スナップを設ける。左右袖下部（１１）を縫い、袖付け部（９）側に持出し部（６）を設け、面ファスナ（７）を設ける。袖部（９）は取り外しが出来、着脱自在に形成構成したことを特徴とする介護パジャマ【０００５】ズボンは前後身頃部（１３）（１４）の右左脇側（１９）を縫い、前後身頃（１３）（１４）の股上（１５）の中央部に持ち出し部（６）を設け、面ファスナー（７）を設ける。前後身頃部（１３）（１４）の股下部（１６）に持出し部（６）を設け、面ファスナー（７）を設ける。
裾、ウエストのゴム通し（１７）（１８）を縫い、開閉自在となるようにしてある。
【発明を実施するための最良の形態】
【０００６】以下本発明の形態を説明する。
イ．基盤になるパジャマ上衣、前後身頃、袖部、見返し部、持出部、ポケット部を切断し    形成する。
ロ．パジャマズボン前身頃、後身頃、持出部を切断し、形成する。
ハ．パジャマの上衣、前後身頃の両脇側に持出部を取り付け、面ファスナーを設ける。
ニ．前後身頃の肩山を縫い合わせる。前後身頃袖付け側に持出しを取り付け、面ファスナ    ーを設ける。
ホ．袖部右左の袖下を縫い、袖山部に持出しを取り付け面ファスナーを設ける。
ヘ．上衣前中央に見返しを設け、面ファスナー又は、ボタンスナップを取り付けてもよい    。
ト．ズボン前後身頃の脇側を縫い、前後身頃の股上部、股下部に持出しを取り付け、面フ    ァスナーを設ける。裾、ウエストゴム入れ部を縫い、開閉自在となる。
【発明の効果】
【０００７】本発明は患者さんが寝たまま、体を左右に動かすだけで、楽に上衣、ズボンを着替えさせることができ、今まで介護者一人では大変であった体の不自由な人の着替えをする際の負担を軽減させるためのものである。この介護用パジャマは肩の縫い合わせだけで、身頃、袖、ズボンの股上、股下が全部バラバラになるので、簡単に着脱できる。
従来のパジャマで体重７０ｋｇの男性を着替えをさせるには３０分かかっていたところ、試作品で試したところ、１０分程で着替えさせることができた。
【図面の簡単な説明】
【０００８】
【図１】本発明における介護用パジャマの上衣の正面図である。
【図２】本発明の取付け部の基盤の実施例を示す袖の正面図である。
【図３】本発明の取付け部の袖部の正面図である。
【図４】本発明における介護用パジャマのズボンの正面図である。
【図５】本発明の取付け部の後身頃の基盤の実施例を示すズボンの正面図である。
【図６】本発明の取付け部の前身頃の基盤の実施例を示すズボンの正面図である。
【符号の説明】
【０００９】  上衣
１．    前身頃部
２．    後身頃部
３．    肩山部
４．    袖付け部
５．    右左脇部
６．    特出し部
７．    面ファスナー部
８．    見返し部
９．    袖部
１０．  袖山部
１１．  袖下部
１２．  袖口部
ズボン
１３．  前身頃部
１４．  後身頃部
１５．  股上部
１６．  股下部
１７．  ゴム通し
１８．  裾部分
１９．  ズボン左右脇部
２０．  ポケット
【図１】
0005453655.tif 000002
【図２】
0005453655.tif 000003
【図３】
0005453655.tif 000004
【図４】
0005453655.tif 000005
【図５】
0005453655.tif 000006
【図６】
0005453655.tif 000007
(57)【特許請求の範囲】
【請求項１】
密閉された空間を形成するボックスの一部に当該空間内を観察するための覗き窓が形成され、前記空間内で覗き窓の下縁部の近傍に下縁部に沿ってライン状の送風装置が配置され、この送風装置は下縁部に沿って複数の送風ユニットから構成され、各送風ユニットは個別に風量及び噴出角度が調整可能とされていることを特徴とする覗き窓の保護機構。
【請求項２】
請求項１に記載の保護機構において、前記覗き窓はサンドブラスト装置の覗き窓であることを特徴とする覗き窓の保護機構。
【発明の詳細な説明】
【技術分野】
【０００１】
本発明は、サンドブラスト装置等に設けられる覗き窓の保護機構に関する。
【背景技術】
【０００２】
特許文献１には電線の表面の絶縁皮膜を除去するためのサンドブラスト装置が開示されている。このサンドブラスト装置は円筒状の回転部材を固定部材間に回転可能に設け、この回転部材の円周方向の所定個所に複数の覗き窓を形成し、円筒部材内で行われる電線の絶縁皮膜の除去状況を外側から観測できるようにしている。
【０００３】
また空間内の空気を強制的に滞留させる送風機として、特許文献２に開示されるものが知られている。この送風機はパーティションパネルの上端部にライン状に空気循環手段を設け、カーテン状に上方に空気を噴き出すようにしている。
【先行技術文献】
【特許文献】
【０００４】
【特許文献１】特開平４−１６３４３号公報
【特許文献２】特開２０００−１５７３９２号公報
【発明の概要】
【発明が解決しようとする課題】
【０００５】
図３は従来のサンドブラスト装置の覗き窓の問題点を説明した図であり、ノズルから噴出した粒子（投射剤）がワークに当たった後に反射して、覗き窓に当たり、徐々に覗き窓の透明度が失われてしまう。このため、３日に１度の割合で交換しなければならず、作業が面倒でコスト的にも無駄が生じている。
【０００６】
そこで、特許文献２の送風機を用いて粒子が覗き窓に当たらないようにすることが考えられるが、送風機の方向によっては却って内部の空気の流れを乱し、早期に覗き窓の透明度を失うことになる。
【０００７】
また、覗き窓を投射剤等から保護する場合には、投射剤が当たり易い箇所が存在し、この位置は個々の装置によって微妙に異なる。したがって、単に送風機を配置しても覗き窓の透明度を長期に亘って維持することは困難である。
【課題を解決するための手段】
【０００８】
上記課題を解決するため本発明に係る覗き窓の保護機構は、覗き窓は密閉された空間を形成するボックスの一部に形成され、この空間内で覗き窓の下縁部の近傍に下縁部に沿ってライン状の送風装置を配置し、更にこの送風装置は下縁部に沿って複数の送風ユニットから構成され、各送風ユニットは個別に風量及び噴出角度が調整可能とされた構成とした。
【０００９】
前記覗き窓としては、サンドブラスト装置の覗き窓に限らず、加熱炉、塗装チャンバー、工作機械などが考えられる。
【発明の効果】
【００１０】
本発明に係る覗き窓の保護機構によれば、覗き窓に投射剤などの粒子が衝突することを効果的に防止することができるので、例えばサンドブラスト装置覗き窓に適用することで、交換の頻度が大幅に改善される。
【図面の簡単な説明】
【００１１】
【図１】本発明に係るサンドブラスト機の断面図
【図２】本発明に係るサンドブラスト機の要部の斜視図
【図３】従来のサンドブラスト機の問題点を説明した図
【発明を実施するための形態】
【００１２】
以下に本発明の実施例を添付図面に基づいて説明する。実施例では本発明をサンドブラスト装置に適用した例を示したが、これに限定されるものではない。
サンドブラスト装置はボックス１にて作業空間が画成され、この作業空間の中心部にテーブル２が設けられ、このテーブル２上にワーク３がセットされている。
【００１３】
また、ボックス１の天井部からは投射剤を噴出するノズル４,５が垂下している。ボックス１の底部にはホッパー６を設けている。この実施例では作業の種類に応じて使い分けるために、２本のノズルを作業空間内に臨ませている。
【００１４】
更に、ボックス１の前面には作業者の手を挿入するための挿入部７が設けられ、この挿入部７よりも上方の傾斜面には覗き窓８を設け、この覗き窓８の下縁部に沿ってライン状の送風装置９を配置している。また、ボックス１内の奥、つまり前記挿入部７と反対側となる部分には、ガイド板１０，１１を配置することもある。
【００１５】
前記送風装置９は覗き窓８の下縁部に沿って複数の送風ユニット１２…から構成され、各送風ユニット１２は中空ヘッド１３および配管１４を備え、中空ヘッド１３の上面には複数の噴出穴１５が一列に形成されている。また各配管１４には図示しないオンオフバルブ或いは流量調整バルブが設けられ、且つ中空ヘッド１３および配管１４は個々に交換可能とされている。
【００１６】
以上において、ノズル４または５を用いてワーク３の表面の皮膜等を除去しようとすると、ノズルから噴出した投射剤はワーク表面に衝突し、その一部は反射して覗き窓８に向かって飛散する。そして覗き窓８に投射剤が近付くと、覗き窓８の下縁部から噴出して上方に向うエアカーテンに補足され上方に覗き窓８に衝突せずに上方に抜ける。
【００１７】
上方に向かったエアの流れは、ボックスの壁に当たり、方向が変化し、全体として空気の流れが下向きになり、最終的にはホッパー６内に流れ込み、ワーク３から飛散した投射剤はホッパー６に捕捉され、新たな材料になる。ガイド板１０、１１を設けた場合は１０，１１に当たり効率よく流れる。
【００１８】
送風装置９を配置する個所としては覗き窓８の上縁部、側縁部に沿った箇所が考えられるが、上縁部に設けると、ボックス１内の気流の流れに反し、側縁部に設けると、却って乱流を生じ、場所的には覗き窓８の下縁部に沿った部分が最適であることが、検証の結果、判明した。
【産業上の利用可能性】
【００１９】
本発明は、サンドブラスト装置、加熱炉、塗装ブースなど覗き窓を有する装置に適用することができる。
【符号の説明】
【００２０】
１…ボックス、２…テーブル、３…ワーク、４、５…ノズル、６…ホッパー、７…挿入部、８…覗き窓、９…送風装置、１０、１１…ガイド板、１２…送風ユニット、１３…ヘッド、１４…配管、１５…噴出穴。
【図１】
0005453474.tif 000002
【図２】
0005453474.tif 000003
【図３】
0005453474.tif 000004
(57)【特許請求の範囲】
【請求項１】
少なくとも一つ以上の光源と、前記光源からの光を液晶面に照射する導光板と、前記導光板の下面側に配置される反射シートと、前記光源と前記導光板を固定するシャーシと、を有し、前記導光板を複数個配列して構成されるバックライトユニットにおいて、
前記光源と前記導光板の距離をａ、前記光源の発光部の厚さをｈ１、前記導光板の入光部の厚さをｈ２、前記導光板の厚さをｈ３、前記シャーシから前記光源の下部パッケージの前記発光部側端部までの高さをＬ１、前記反射シートの厚さをＬ２、前記シャーシから前記導光板までの高さＬ３としたとき、
ｈ３＞ｈ２、
ｈ２／ｈ１×０．６≧ａ、
Ｌ１＞Ｌ２、及び
（Ｌ１−Ｌ３）／ｈ１≧０．２
を満たすことを特徴とするバックライトユニット。
【発明の詳細な説明】
【技術分野】
【０００１】
本発明は、バックライトユニットに関し、特に薄型、高輝度、輝度均一性が高く、ブロック毎に分割することで、エリア調光（ローカルディミング）が可能なバックライトユニットおよびそれを用いた映像表示装置に関するものである。
【背景技術】
【０００２】
近年、液晶表示装置のバックライトユニットとして、例えば特許文献１に記載のようなサイドライト方式が用いられている。しかし、光源が画面の端に集中して配置されるため、放熱が困難、エリア調光が困難、大型化が困難、高輝度化が困難という課題があった。これを解決する方式として、例えば特許文献２に記載のように、光源を多数敷き詰めてバックライトを構成する直下方式がある。
【０００３】
しかし、直下方式で薄型化を実現するためには、光源数を増やす必要があり、コストおよび消費電力が増加してしまう。また、光源数を固定した場合、輝度むらを解消するためには厚さを増加させなければならない課題があった。
【先行技術文献】
【特許文献】
【０００４】
【特許文献１】特開２００８−１０３１６２号公報
【特許文献２】特開２００８−１０３２００号公報
【発明の概要】
【発明が解決しようとする課題】
【０００５】
本発明は、サイドライト方式でありながら、エリア調光と高輝度化、光の高効率化、輝度均一性、を同時に実現する、薄型バックライトユニットを提供することを目的としたものである。
【課題を解決するための手段】
【０００６】
上記目的を達成するために、本発明は、特許請求の範囲に記載された構成を特徴とするものである。
【発明の効果】
【０００７】
本発明によれば、光利用効率が高く高輝度で、輝度均一性の高いバックライトユニットおよびそれを用いた映像表示装置が実現可能である。
【図面の簡単な説明】
【０００８】
【図１】本発明に係るバックライトユニットの一実施例を示す図。
【図２】本実施例に係る導光板の光利用効率の計算結果を示す図。
【図３】本発明に係るバックライトユニットの光源と導光板入光部の拡大図。
【図４】本発明に係るバックライトユニットの光源と導光板入光部の拡大図。
【図５】導光板の光利用効率の特性を示す図
【図６】本実施例に係る映像表示装置の背面図
【発明を実施するための形態】
【０００９】
以下、本発明の実施の形態について、添付の図面を参照して説明する。
【００１０】
図１に、本発明に係るバックライトユニット一実施例の断面を示す。少なくとも一つ以上の光源１と、前記光源からの光を液晶面に照射する導光板２と、前記光源と導光板を固定するシャーシ３を有し、前記導光板２を複数個配列して構成されるバックライトユニット４において、前記光源１と前記導光板２の距離をａ、前記光源１の発光部の厚さをｈ１、前記導光板の入光部５の厚さをｈ２、前記導光板２の厚さをｈ３とすると、ｈ３＞ｈ２のとき、ｈ２／ｈ１×０．６≧ａを満たすことを特徴とする。
【００１１】
図２に、ａｈ１／ｈ２を変化させたときの、導光板の光利用効率の計算結果を示す。これより、ａｈ１／ｈ２≦０．６のとき、光利用効率は９０％以上を維持でき、高輝度なバックライトユニットを実現できることがわかる。バックライトユニットには導光板２の液晶パネル側に拡散板９を配置する。前記拡散板９は、ＰＭＭＡやＰＣなどの樹脂を材料とする。前記拡散板９の表面にはプリズムやレンズなどの微細パターンを形成しても良い。これにより、光の散乱効果による輝度むらの低減や、集光効果によるバックライト中央部の高輝度化を図ることが可能である。また、輝度むら低減を図るために、拡散反射性の白色塗料を印刷しても良い。微細パターンや白色塗料は、前記拡散板の全面に一様に形成しても良いし、密度に濃淡をつけて形成しても良い。拡散板９の上には、さらに拡散シートや、プリズムシート、偏光変換シートなどの光学シートを配置しても良い。
【００１２】
本実施例に係るバックライトユニットの、前記導光板のゲート部６は、前記導光板の光源光入射位置に該当する入光部５を避けた位置に形成されることを特徴とする。これにより、入光部５には例えばレンズやプリズムなどの微細パターンを加工することが可能となる。この微細パターンは、光源からの出射光を散乱させる効果を持つため、輝度むらの低減が可能となる。なお、前記ゲート部６は、前記導光板２の側面に形成するよりも、入光部５側に形成されることが好ましい。入光部側にゲート部を形成することにより、前記導光板２の厚さが、長手方向に変化する場合にも、引けの少ない導光板２を製作することができる。
【００１３】
図３に、本実施例に係るバックライトユニットの光源１と導光板の入光部５の拡大図を示す。シャーシ３から光源１の下部パッケージ３の発光部側端部までの高さをＬ１、前記導光板２の下面に配置する反射シート８の厚さをＬ２としたとき、Ｌ１＞Ｌ２が成り立つものとする。
【００１４】
図４に、本実施例に係るバックライトユニットの光源１と導光板の入光部５の拡大図を示す。前記光源１の発光部の厚さをｈ１、シャーシ３から前記光源１の下部パッケージ７の発光部側端部までの高さをＬ１、シャーシ３から前記導光板２までの高さをＬ３としたとき、図５の（Ｌ１−Ｌ３）／ｈ１を変化させたときの、導光板の光利用効率の特性（計算結果）に示されるように、（Ｌ１−Ｌ３）／ｈ１≧０．２を満たすとき、前記導光板の光利用効率が９０％以上を確保でき、高輝度のバックライトユニットを実現できる。
【００１５】
図６に、以上に述べたバックライトユニットを搭載し、電源、信号処理回路、構造部、図示はしないが液晶表示素子を組み合わせた映像表示装置の、裏面から見た第一の実施の形態を示す。
【００１６】
以上の構成を有する本実施例に係るバックライトユニットによれば、光利用効率が高く高輝度で輝度均一性の高いバックライトユニットを提供することが可能である。
【符号の説明】
【００１７】
１  光源
２  導光板
３  シャーシ
４  バックライトユニット
５  入光部
６  ゲート部
７  パッケージ
８  反射シート
９  拡散板
１０  電源
１１  信号処理手段
１２  構造体
【図１】
0005492519.tif 000002
【図２】
0005492519.tif 000003
【図３】
0005492519.tif 000004
【図４】
0005492519.tif 000005
【図５】
0005492519.tif 000006
【図６】
0005492519.tif 000007
(57)【特許請求の範囲】
【請求項１】
ロケット発射装置又は類似の小火器によって発射される発射物によってもたらされる危険物の攻撃から装甲車又は固定部位を保護するためのアクティブな防弾システムであって
少なくとも２つの金属製外側層と、該金属製外側層間に挿入されたエネルギー物質層とを具備する少なくとも１枚のパネルからなり、
前記エネルギー物質は弱められた爆発性のＰＢＸ  Ｎ１０９から得られると共に、
前記爆発性を弱めることが、アルミニウムの含有を除去し、かつ、不活性配位子に対するＲＤＸの割合を３０％〜５０％の範囲に調製することにより行われる
ことを特徴とするアクティブな防弾システム。
【請求項２】
前記パネルが２枚配設され、該２枚のパネルがスペーサ要素によって互いに離隔してかつ平行に配設されていると共に、該２枚のパネルが前記危険物の方向に対して傾斜している請求項１に記載のアクティブな防弾システム。
【請求項３】
前記パネルの危険物の方向に対する傾斜角が２０°〜４０°の範囲にある請求項２に記載のアクティブな防弾システム。
【請求項４】
前記パネルは金属箱体の中に配設されている請求項２に記載のアクティブな防弾システム。
【請求項５】
前記パネル間に不活性要素が更に存在する請求項２に記載のアクティブな防弾システム。
【発明の詳細な説明】
【技術分野】
【０００１】
本発明は、アクティブな防弾システムに関する。特に、装甲車又は小火器の攻撃にさらされ得る固定された部位の保護用に用いられ得るアクティブな装甲とも称されるアクティブな防弾のシステムに関する。
【背景技術】
【０００２】
反応する装甲の典型的な構造は、危険物に機械的に対向する目的を有する前後の層状体によって、そして、最も外側の遮蔽物の作用を促進する目的を持った中間の層状体によって構成されている。その中間の層状体のエネルギー層の特徴は３つの主なカテゴリに分けられる。
【０００３】
第１のカテゴリにおいては、エネルギー層が爆発によって構成される。この構成が最も効果的な反応する装甲である。
第２のカテゴリにおいては、中間のエネルギー層が爆発性能を有していないエネルギー物質によって構成され、このカテゴリは第１のものよりも低い効果を有している。
第３のカテゴリにおいては、中間の層は非エネルギー物質によって構成される。この物質は、その物理化学的特性に依存しているが、反応性サンドイッチ構造の最も外側の層の作用を促進することができるが、その他のものよりも効果が薄い。
【発明の概要】
【課題を解決するための手段】
【０００４】
本発明は、少なくとも２つの金属製外側層と、これらの間に挿入された少なくとも１つの反応する層とによって形成されたアクティブな防弾のシステムを実現することを提供する。その反応する層は、金属製外側層の一つに貫通する金属又は他の物質によって到達された時、貫通物質の進行方向のその厚さを増大させることによって反応し、こうして金属製外側層の防護性能を増大させる。
【０００５】
反応する層の振る舞いは弱められた爆発物質の使用を介して得られる。本発明の様相は請求項１の特徴部を有するアクティブな防弾のシステムに関する。このパネルの他の特徴はそれに続く従属請求項に含まれている。本発明の他の目的と利点とは、下記の説明は実施例であってそれらに限定しないことを条件として、下記の説明記載と添付図とから明確になるであろう。
【図面の簡単な説明】
【０００６】
【図１】本発明に係るアクティブな防弾のシステムのパネルの分解模式図である。
【図２】互いに平行で、危険物の方向に対して傾斜した２つのパネルを設けた本発明に係る防弾システムの一つの実施形態例を示す。
【発明を実施するための形態】
【０００７】
上述の図を参照すると、本発明に係る防弾システムは、乗物用又は固定された部位用の、補強と装甲板状パネルとして使用され得る。
本発明の防弾システムが危険物から保護するその危険物の種類は、保護されるべき部位の方向に高速で送られる物質によってもたらされる危険物である。即ち、これは、ロケット発射装置や類似の小火器によって発射された発射物によって構成された、溶解又は半溶解の金属物質、又は、静止した位置の爆発噴出によって発生させられた有形の装填噴出物である。
【０００８】
本発明に係る防弾システムは、少なくとも２つの金属製外側層２，３と、これらの間に挿入された、例えば弱められた爆発物質のようなエネルギー物質層４とによって形成されたパネル１を少なくとも具備している。いったん、例えば、発射物のような危険物が外側の層を貫通したら、この弱められた爆発物質は膨張によって「反応すること」の特徴を有する。
このサンドイッチ構造の２つの金属製外側層は、横の寸法と厚さ２ｍｍを有する２枚の板によって構成されることが好ましい。
【０００９】
エネルギー物質のシートを含むことに対し、２枚の板は、例えばナイロンのようなフレーム５によって縁全体に沿って分離されることが好ましい。この組立体には、組み立てのために複数の貫通孔が設けてある。
本発明に係るエネルギー物質の好ましいのは、アルミニウム含有を除去することと、例えば、ポリウレタンの配位子のような不活性の配位子に対してＲＤＸの割合を少なくすることによって、そこから既述の弱めることを達成することが可能な基本となるエネルギー物質としては、爆発性のＰＢＸ  Ｎ１０９である。ＲＤＸの適切な割合は３０％と５０％との間にあり、好ましくは４０％である。
【００１０】
図２において、スペーサ要素６の手段によって互いに離隔されて互いに平行に配置された２つのパネルを具備するシステムが図示されている。これらのパネルは、金属箱体７の中に配設されて危険物の方向に対して傾斜している。これらのパネルの好ましい傾斜角は２０°〜４０°の間にあり、好ましくは３０°である。同様に、異なる数のパネルが異なる配置形態で使用され得る。更には、他の不活性な要素があり得る。
【図１】
0005631061.tif 000002
【図２】
0005631061.tif 000003
(57)【特許請求の範囲】
【請求項１】
使用時に既設便座の上部に設置され、ペーパ挿入口が設けられた発泡スチロール製の発泡スチロール便座と、トイレットペーパを重ね合わせて略円錐形状とし、広がっている側の端部に複数のスリットを形成した筒状トイレットペーパと、を備え、前記発泡スチロール便座を前記既設便座の上部に設置した状態で、略円錐形状の先端部が便器内部に位置するように、前記筒状トイレットペーパをペーパ挿入口から挿入した後、前記広がっている側の端部を前記発泡スチロール便座の上面に広げることにより、前記筒状トイレットペーパを前記発泡スチロール便座に取り付けることを特徴とする便座装置。
【発明の詳細な説明】
【技術分野】
【０００１】本発明は快適なトイレ使用を可能にした便座装置に関する。
【背景技術】
【０００２】使い慣れた家庭のトイレのように会社等他の場所にても気兼ねなくトイレ使用ができれば、ちょっと待てよ家に帰ってからしよう・・・等と我慢することもなくなり健康面からも気兼ねなく使用できるトイレが要望されている。【０００３】ところが、トイレの便器そのものでは音、臭は現状では防音、防臭及び芳香剤等に限られており、かなりの消音、消臭にまでは至っていないためトイレ使用時、何かと気を使う。【０００４】こうした問題を解決し、便座をセットし筒状トイレットペーパを孔に落とし手で広げて座るだけで思い切り用を足すことができるので気分爽快になる。【０００５】しかも日々使うとなれば廉価な品であることが望まれるのでトイレットペーパを筒状に巻き付けただけの簡単構造なのだから生産性もある。
【先行技術文献】
【特許文献】
【０００６】文献では消臭、消音マット等もしくは消臭剤，芳香剤の収録を見るも類品確認できず。
【特許文献１】
【特許文献２】
【非特許文献】
【０００７】
【非特許文献１】
【非特許文献２】
【発明の概要】
【発明が解決しようとする課題】
【０００８】しかしながら、従来の技術は高度な防音、防臭には敏感ではあるが消音、消臭にまでは万全とは言い難く直後では臭気も残る。また、日々使用する消耗品であることからこそ高価格であってはならないし、簡単明瞭かつ廉価な品である必要がある。【０００９】本発明は、このような従来の技術が有する問題点に着目してなされたもので、簡単構造ゆえにセットも容易であり、身体及び精神的健康面からも我慢等による苦痛が無くなるだけでも日々快適に生活ができ、安価に製造し提供することを目的としている。
【課題を解決するための手段】
【００１０】かかる目的を達成するための本発明の要旨とするところは、従来より通常使用している既設トイレになんら手を加えることなく、廉価な品であり通常便座に乗せるだけでセットが完了する便座装置。
【発明の効果】
【００１１】静まり返った場所等で用を足すことに気を使うことがなくなる。
体調の悪い時ほど気兼ねなくトイレを使用したいものではあるが、音とか臭気に気を使うことがなくなるだけでも、精神衛生上において非常に良く体調不良さえ早期に克服できる。
【図面の簡単な説明】
【００１２】
【図１】本発明の一実施の形態に係る便座装置の全体図を示します。本発明の便座及び筒状トイレットペーパを既設便座にセットした時の断面を示す。本発明の筒状トイレットペーパを広げた状態、断面を上から見た図を示す。
【図２】本発明の一実施の形態に係る便座の概観及びペーパ挿入用の孔形状を示します。
【図３】本発明の一実施の形態に係る筒状トイレットペーパの形状を示します。日常使用しているＷのトイレットペーパを円錐形に２５〜３０枚軽く重ね合せ、上方のラッパ状部分にはスリットを入れより広げ易くする。筒状の内には４〜５枚程度の皺だらけのティシュペーパを上方から落とし込み消音剤として利用し、筒との一体構造。
【図４】本発明の一実施の形態に係る筒状トイレットペーパを便座に挿入した状態を示します。
【図５】本発明の一実施の形態に係る筒状トイレットペーパを便座上で広げた状態を示します。この広げたペーパはお尻を据えた時により便器内と遮断にも役立つ。
【発明を実施するための形態】
【００１３】本発明は一家庭もしくは気兼ねすることもないような場合は除いて、使用されるならば消音、消臭構造の観点からして社会性は充分にあります。
【実施例】
【００１４】本発明は会社や事務所等もしくは気兼ねするような場所ではより利用範囲はあります。
【産業上の利用可能性】
【００１５】日常使用される物であっって構造的にもシンプルで大量生産性からみても安価に社会提供できる。
排便に伴う躊躇がなくなり、精神的にも身体健康面からしても大いに役立つ便座である。
【符号の説明】
【００１６】１・・・発泡スチロール便座
２・・・筒状トイレットペーパ
３・・・消音用トイレットペーパ
４・・・市販用トイレ便器
５・・・市販用トイレ便座
【図１】
0005631930.tif 000002
【図２】
0005631930.tif 000003
【図３】
0005631930.tif 000004
【図４】
0005631930.tif 000005
【図５】
0005631930.tif 000006
(57)【特許請求の範囲】
【請求項１】
皮膚を刺したり血液サンプルを採取したりすることなく血糖値を測定するための装置であって、
それぞれのレーザー光線を放射する２個のレーザーダイオード源であって、５００ｎｍ〜１０００ｎｍの周波数範囲で、０．０１ｍＷ〜１００ｍＷのパワーで動作するレーザーダイオード源と、
この２個のレーザーダイオードによって放射されたレーザー光線を受光する光ダイオードセンサと、
患者の指を収容する４つのパーツで構成された絞り（diaphragm）と、
ディスプレーとを有し、
前記装置の使用及び作動は、
４つのパーツで構成された絞り（diaphragm）を開けるレバーを操作することによって、患者が指を装置内に入れるステップと、
レバーの解放により、スプリングによって４つのパーツで構成された絞り（diaphragm）を閉じ、これによって、指の太さに影響されることなく、２個のレーザーダイオードによって放射されると共に前記センサの複数の光ダイオードに向けられた２本のレーザー光線の焦点上の中心位置に指を配置するステップと、
患者が装置の電源を入れ、これにより、２個のレーザーダイオードの起動を制御する光バリア（optical barrier）を、指を通すことにより作動させるステップと、
２個のレーザーダイオードによって放射されたレーザー光線が、患者の血液中に存在するグリコヘモグロビン及び遊離血漿グルコースによって選択的に吸収されることによって生じるレーザー放射の２個の値をセンサの複数の光ダイオードが読み取るステップと、
アナログステージが、前記値をプロセッサに送り、プロセッサは、それらが安定した後で、それらをデジタル化し、正規化し、それらの内の高い値を抽出し、その高い値の平均を求め、特定のアルゴリズムにより、血糖の瞬時値を得て、装置のディスプレーに表示するステップとを有し、
グリコヘモグロビン及び遊離血漿グルコースによる、２本のダイオードレーザー光線の選択的吸収が、絶対的に正確な血糖値を得るために、制御パラメータとして働き、
グリコヘモグロビン及び遊離血漿グルコースによる選択的吸収によって生じるレーザー放射の前記２個の値が相互に関連付けて計算され、これにより、皮膚の厚さや色及び患者の指の厚さに影響されることなしに血糖の測定が絶対的に正確に行われる装置。
【請求項２】
請求項１に記載の装置であって、痛みが全くない非侵襲的な方法で血糖の瞬時値を決定するのに数秒しか必要せず、これにより、経時的傾向を監視し、治療の有効性を確認し、新生児、子供、大人及び老人の血糖曲線を作るために、極めて短い時間の間に幾つかの血糖測定値を得るのに使用でき、これにおいて、値は順次記憶され（最大で５０００個）、その記憶は２個のスライドキーによって表示でき、装置はＵＳＢゲートとＰＣ接続ケーブルを有し、データを可視化すると共に処理するためのソフトウエアが備えられている装置。
【請求項３】
本請求項１又は２に記載の装置であって、電源オンのボタンを押すことによって容易に起動でき、装置の開口部に患者の指を入れて、センタリングシステムを起動するだけよく、数秒後には、血糖値の値が自動的に得られ、装置の画面上に、各測定の日時及び累進的な登録番号と共に表示される装置。
【発明の詳細な説明】
【０００１】
本装置は、２個のレーザーダイオード源を使用して作成され、通常の或いは不純物を添加したファイバ源を備え、装置が固定式の場合は電気系統から電力が供給され、携帯型のポケット大の装置の場合は（再充電可能な）電池から電力が供給される。
【０００２】
使用される２個のレーザーダイオード源は、５００ｎｍ〜１０００ｎｍの範囲で、パワーは０．０１ｍＷ〜１００ｍＷの範囲である。
【０００３】
２個のレーザーダイオードからの光束は光学的集光器を通して運ばれ、キーを押すと、爪又は皮膚、或いは血液サンプルに照射される。
【０００４】
光ダイオードセンサ又はＣＰＵは、血液中に存在するグリコヘモグロビン及び遊離血漿グルコースによって減衰された放射エネルギーの値を読み取る。この値は、瞬時の血糖値に変換され、装置のディスプレー上に現われる。
【０００５】
本装置は、メモリーにこれらの値を最大で５０００個記憶できる。
【０００６】
本装置は、ＰＣに接続してデータを転送するためにケーブルインターフェイス、赤外線及びブルートゥースを備えている。
【０００７】
本装置は、皮膚を刺したり血液サンプルを採取したりすることなく血糖値を測定できる。
【０００８】
より詳細には、本装置の使用及び動作時には、患者は、指を装置内に入れ、４つのパーツで構成された絞り（diaphragm）を開けるレバーを操作するだけでよい。
【０００９】
その後、レバーを解放すると、スプリングによって絞り（diaphragm）が閉じ、複数の光ダイオードに向けられた２本のレーザー光線の焦点上において、指の太さに影響されることなく、指の中心に位置決めする（レーザー装置はクラス１の安全基準を満たしている）。
【００１０】
本装置は、５００ｎｍ〜１０００ｎｍの範囲の２個のレーザーダイオード源を使用する。
【００１１】
患者は、装置の電源を入れ、レーザーの開始を制御する光バリア（optical barrier）を、指を通すことにより作動させる。
【００１２】
そして、光ダイオードは、指の血液中に存在するグリコヘモグロビン及び遊離血漿グルコースによる、２本のレーザー光線の放射エネルギーの選択的吸収によって生じるレーザー放射の値を読み取る。
【００１３】
更に、アナログステージは、その値をプロセッサに送り、プロセッサは、系が安定した後で、それらをデジタル化すると共に正規化し、それらの内に高い値を抽出し、平均を求め、それらの間の関係を決定し、特定のアルゴリズムにより、瞬時の血糖値を得る。
【００１４】
本装置は、瞬時的な血糖値を決定するのに数秒しか必要としない。
【００１５】
痛みが全くない非侵襲的な方法であるため、経時的傾向を監視し、治療の有効性を確認し、新生児、子供、大人及び老人の血糖曲線を作るために、極めて短い時間の間に幾つかの血糖測定値を得るのに使用できる。
【００１６】
値は順次記憶され（最大で５０００個）、その記憶は２個のスライドキーによって表示できる。
【００１７】
本装置は、ＵＳＢゲートとＰＣ接続ケーブルを有し、データを可視化すると共に処理するためのソフトウエアが備えられている。
【００１８】
従って、本装置は、電源オンのボタンを押すことによって容易に起動できる。
【００１９】
実際、装置の開口部に指を入れて、センタリングシステムを起動するだけよく、数秒後には、血糖値が自動的に得られ、装置の画面上に、各測定の日時及び累進的な登録番号と共に表示される。
【００２０】
更に、制御パラメータとして働く、血漿グルコース及びグリコヘモグロビンによる２本のダイオードレーザー光線の選択的吸収により、絶対的に正確な血糖値を得ることができる。
【００２１】
２個の値が相互に関連付けて計算され、従って、皮膚の厚さや色及び指自体の厚さに影響されることなしに、測定が絶対的に正確に行われる。
【図面の簡単な説明】
【００２２】
【図１】この発明の装置のシステム構成図である。
【図１】
0005631311.tif 000002